(57)【特許請求の範囲】
【請求項１】
送信電波を受信し、所定の周波帯域信号に変換するチューナーと、
このチューナーが変換データをディジタルデータに変換し、実数部信号成分と虚数部信号成分とに分別生成するＩＱ生成部と、
このＩＱ生成部により分別生成された実数部信号成分と虚数部信号成分とを離散フーリエ変換し、時間領域信号を周波数領域信号に変換する離散フーリエ変換部と、
この離散フーリエ変換部により変換された実数部信号成分データと虚数部信号成分データとに基づき、所定の搬送波の位相を検出して出力する位相検出部と、
この位相検出部が検出した位相から位相誤差を算出するとともに、これら算出した位相誤差のバラツキ状態を検出するバラツキ検出部と、
このバラツキ検出部が検出した位相誤差のバラツキ状態に基づき、復調信号の良否判定を行う良否判定部とを備えた信号復調装置。
【請求項２】
位相検出部は、離散フーリエ変換部により周波数変換された実数部信号成分データ、及び、虚数部信号成分データにより、全ての搬送波について放送信号を構成する搬送波の位相とその搬送波の１シンボル前の位相との位相差を算出し出力する差動符号化部と置換えることにより、放送信号を構成する搬送波の位相差を用いることを特徴とする請求の範囲第１項記載の信号復調装置。
【請求項３】
差動符号化部より算出された搬送波の位相差に基づいて、局部発振器を制御し、発信周波数を変化させる発振器制御部と、
この発振器制御部により制御された局部発振器の発信周波数と、チューナー内の局部発振器の発信周波数とが等しくなるように、上記チューナーを制御する位相比較器とを備え、
良否判定部は、判定された信号の良否の判定結果を上記発振器制御部へ出力することを特徴とする請求の範囲第１項記載の信号復調装置。
【請求項４】
バラツキ検出部は、差動符号化部において算出された位相差から位相誤差が算出され、これら算出した位相誤差のバラツキ状態を段階的に検出し、
良否判定部は、上記バラツキ検出部で検出された位相誤差の段階的なバラツキ状態から、復調された信号の良否について段階的な判定を行い、判定結果を出力し、
発振器制御部は、上記位相誤差の平均値から制御量を算出する際、上記段階的良否判定部で判定された信号の段階的な良否によって、制御量を段階的に変化させ、この制御量により局部発振器の発信周波数を変化させることを特徴とする請求の範囲第１項記載の信号復調装置。
【請求項５】
バラツキ検出部は、段階的に検出したバラツキ状態の検出結果をオーディオ制御部に出力し、
このオーディオ制御部は、段階的なバラツキ状態の検出結果から、ミュート量を決定し、オーディオ制御を行うことを特徴とする請求の範囲第１項記載の信号復調装置。
【請求項６】
バラツキ検出部は、段階的に検出したバラツキ状態の検出結果をオーディオ制御部に出力し、
このオーディオ制御部は、段階的なバラツキ状態の検出結果から、ハイカット量を決定し、オーディオ制御を行うことを特徴とする請求の範囲第１項記載の信号復調装置。
【請求項７】
受信アンテナで捕捉した電波をチューナーにより中間周波帯域の信号に変換し、この変換された中間周波帯域の信号をディジタル化し、このディジタルデータを実数部信号成分と虚数部信号成分とに分別生成し、この分別生成された実数部信号成分と虚数部信号成分とを離散フーリエ変換し、時間領域の信号を周波数領域の信号に変換し、この周波数変換された実数部信号成分データ、及び、虚数部信号成分データより、全ての搬送波について放送信号を構成する搬送波の位相を検出し出力し、この搬送波の位相に基づいて、発振器制御部により局部発振器を制御し発信周波数を変化させ、この制御された局部発振器の発信周波数と上記チューナー内の局部発坂器の発信周波数とが等しくなるように上記チューナーを制御する信号復調装置における放送信号受信の制御方法において、
検出された位相から位相誤差を算出し、この算出した位相誤差のバラツキ状態を検出し、この検出された位相誤差のバラツキ状態から復調された信号の良否について判定を行い、判定結果を上記発振器制御部へ出力することを特徴とする信号復調装置における受信制御方法。
【請求項８】
周波数変換された実数部信号成分データ、及び、虚数部信号成分データより、直交する複数のサブキャリアにより構成された変調信号の全ての搬送波について放送信号を構成する搬送波の位相とその搬送波の１シンボル前の位相との位相差を出力し、出力された位相差から位相誤差を算出し、この算出した位相誤差のバラツキ状態を検出し、この検出された位相誤差のバラツキ状態から復調された信号の良否について判定を行い、判定結果を上記発振器制御部へ出力することを特徴とする信号復調装置における受信制御方法。
【請求項９】
算出された位相差から位相誤差が算出され、これら算出した位相誤差のバラツキ状態を段階的に検出し、この検出された位相誤差の段階的なバラツキ状態から、復調された信号の良否について段階的な判定を行い、判定結果を出力し、上記位相誤差の平均値から制御量を算出する際、上記で判定された信号の段階的な良否によって、制御量を段階的に変化させ、この制御量により局部発振器の発信周波数を変化させることを特徴とする請求の範囲第８項記載の信号復調装置における受信制御方法。
【請求項１０】
段階的に検出したバラツキ状態の検出結果をオーディオ制御部に入力し、このオーディオ制御部は、段階的なバラツキ状態の検出結果から、ミュート量を決定し、オーディオ制御を行うことを特徴とする請求の範囲第８項記載の信号復調装置における受信制御方法。
【請求項１１】
段階的に検出したバラツキ状態の検出結果をオーディオ制御部に入力し、このオーディオ制御部は、段階的なバラツキ状態の検出結果から、ハイカット量を決定し、オーディオ制御を行うことを特徴とする請求の範囲第８項記載の信号復調装置における受信制御方法。
【発明の詳細な説明】
技術分野
この発明は、複数のサブキャリアより構成された変調信号、例えばＯＦＤＭ（直交周波数分割多重：Orthogonal  Frequency  Division  Multiplex）変調信号において、擬似ロック状態に陥ることなく、信号に必要な搬送波を良好、かつ正確に受信することができる信号復調装置およびこの信号復調装置における受信制御方法に関するものである。
背景技術
第１４図は従来の信号復調装置を示す構成図であり、複数のサブキャリアより構成された変調信号において、復調に必要な搬送波を良好に誤り無く受信する場合、例えば、ＯＦＤＭ変調を用いた欧州のＤＡＢ（デジタル音声放送：Digital  Audio  Broadcasting）放送受信において制御を行っていた。図において、２は受信アンテナ１で捕捉された電波を中間周波帯域の信号に変換するチューナー、４はＡ／Ｄ変換器３でディジタル値に変換され出力されたディジタルデータをＩ信号成分（実数部）と、Ｑ信号成分（虚数部）とに分別生成するＩＱ生成部、５はこのＩ信号成分とＱ信号成分を離散フーリエ変換し、時間領域の信号を周波数領域の信号に変換する離散フーリエ変換部である。
６は周波数変換されたＩ成分データ、及び、Ｑ成分データより、ＯＦＤＭ信号を構成する搬送波の位相と、その搬送波の１ＯＦＤＭシンボル前の位相との位相差が全ての搬送波について算出する差動符号化部、７は送信側との時間同期ズレを検出、補正して、同期ズレのないクロック再生を行うクロック再生部であり、Ａ／Ｄ変換器３、ＩＱ生成部４、離散フーリエ変換部５、差動符号化部６の各部へ制御を行う。８は搬送波の位相差に基づいて、局部発振器９を制御し、発振周波数を変化させる発振器制御部、１０は局部発振器９の発振周波数と、チューナー２内の局部発振器の発振周波数とが等しくなるように、チューナー２を制御する位相比較器である。
第１５図はＱＰＳＫ変調で伝送される４値を示す表図、第１６図はＱＰＳＫ変調で搬送波がπ／２進んだ状態を示す表図である。ＤＡＢの搬送波の変調方式はＤＱＰＳＫ（Differential  Quadrature  Phase  Shift  Keying）であり、離散フーリエ変換することで、Ｉ成分、及び、Ｑ成分の２値で表すことができ、第１５図に示すように、横軸をＩ成分、縦軸をＱ成分とすると、（Ｉ，Ｑ）＝（０，０），（０，１），（１，０），（１，１）の４値をとることが決められている。すなわち、これら４点では位相誤差はゼロとなることを表している。このとき、例えば、第１４図に示すように、（Ｉ，Ｑ）＝（０，０）値をとるべきデータが、＋π／２だけ位相がズレたとすると、（Ｉ，Ｑ）＝（０，１）に一致し、実際には位相が、＋π／２だけズレているにもかかわらず、差動符号化部６は位相誤差なしと判定する。
次に動作について説明する。
第１７図は従来の信号復調装置においてＤＡＢ受信の制御例を示すフローチャートである。
受信機の同調制御が開始されると、差動符号化部６は離散フーリエ変換部５から入力した位相検出データを用いて位相差判定を行い（ステップＳＴ１）、例えば、位相誤差がπ／８であると判定した場合には（ステップＳＴ２）、π／８の補正に相当するデータを発振器制御部８に出力する。次に、発振器制御部８では、π／８の補正に相当するデータに基づいて局部発振器９を制御して同調を行い（ステップＳＴ３）、制御を終了する。この一連のステップを一定時間毎に実行することで常に良好な受信を行う。
しかし、差動符号化部６はステップＳＴ２において、位相検出データを用いて判定した位相誤差がπ／２であった場合には、先に述べた４値｛（Ｉ，Ｑ）＝（０，０），（０，１），（１，０），（１，１）｝の隣の値に一致するため、同調状態と誤認識し補正制御を指示しない。このため、発振器制御部８は局部発振器９の補正制御を行わず、誤って制御を終了してしまう。このような誤認判定を以下「擬似ロック」という。したがって、従来のＤＡＢ受信機では、搬送波の同期制御の際に、何らかの原因で、搬送波の位相が、±π／２だけズレたような場合、位相誤差なしと判定することがあった。
従来の信号復調装置およびこの信号復調装置における受信制御方法は以上のように構成されているので、擬似ロック状態が発生する程度の位相誤差を含む信号を受信したときに、良好に誤りなく受信することができないなどの課題があった。
この発明は上記のような課題を解決するためになされたもので、擬似ロック状態に陥ることなく、ＯＦＤＭ変調信号に必要な搬送波を良好、かつ正確に受信することができる信号復調装置およびこの信号復調装置における受信制御方法を得ることを目的とする。
発明の開示
この発明に係る信号復調装置は、検出された位相から位相誤差を算出し、この算出された位相誤差のバラツキ状態を検出し、この検出された位相誤差のバラツキ状態から復調された信号の良否について判定を行い、判定結果を上記発振器制御部へ出力するようにしたものである。
このことによって、良否判定部において、バラツキ検出部から出力されるバラツキ状態を前記位相誤差とバラツキの関係を照らし合わせ信号の良否を判定することにより、擬似ロック状態に陥ることなく、ＯＦＤＭ等、複数のサブキャリアで構成され、位相変調された放送信号に必要な搬送波を良好、かつ正確に受信することができるなどの効果がある。
この発明に係る信号復調装置は、算出された上記位相差から位相誤差を算出し、この算出した位相誤差のバラツキ状態を検出し、この検出された位相誤差のバラツキ状態から復調された信号の良否について判定を行い、判定結果を上記発振器制御部へ出力するようにしたものである。
このことによって、良否判定部において、バラツキ検出部から出力されるバラツキ状態を前記位相誤差とバラツキの関係と照らし合わせ、信号の良否を判定することにより、擬似ロック状態に陥ることなく、ＯＦＤＭ等、複数のサブキャリアで構成され、差動位相変調された放送信号に必要な搬送波を良好、かつ正確に受信することができるなどの効果がある。
この発明に係る信号復調装置は、算出された位相差から位相誤差が算出され、これら算出した位相誤差のバラツキ状態を段階的に検出し、この検出された位相誤差の段階的なバラツキ状態から、復調された信号の良否について段階的な判定を行い、判定結果を出力し、上記位相誤差の平均値から制御量を算出する際、上記で判定された信号の段階的な良否によって、制御量を段階的に変化させ、この制御量により局部発振器の発振周波数を変化させるようにしたものである。
このことによって、検出された位相差のバラツキ状態より信号の良否を段階的に判断し、復調するときに利用する局部発振信号の周波数および位相を段階的に制御することにより、より効率的な受信装置の制御をおこなうことができるなどの効果がある。
この発明に係る信号復調装置は、段階的に検出したバラツキ状態の検出結果をオーディオ制御部に出力し、このオーディオ制御部は、段階的なバラツキ状態の検出結果から、ミュート量を決定し、オーディオ制御を行うようにしたものである。
このことによって、検出された位相差のバラツキ状態より信号の良否を段階的に判断し、その結果に基づいて音声のミュート量を制御することにより、信号の劣化に伴い発生する異音を抑えることができるなどの効果がある。
この発明に係る信号復調装置は、オーディオ制御部は、バラツキ状態の段階的な検出結果から、ハイカット量を決定し、オーディオ制御を行うようにしたものである。
このことによって、信号の劣化に伴い発生する異音を、音声を途切れさせることなく、抑えることができるなどの効果がある。
この発明に係る信号復調装置における受信制御方法は、算出された上記位相差から位相誤差を算出し、この算出した位相誤差のバラツキ状態を検出し、この検出された位相誤差のバラツキ状態から復調された信号の良否について判定を行い、判定結果を上記発振器制御部へ出力するようにしたものである。
このことによって、バラツキ検出部から出力されるバラツキ状態を前記位相誤差とバラツキの関係と照らし合わせ、信号の良否を判定することにより、擬似ロック状態に陥ることなく、ＯＦＤＭ変調信号に必要な搬送波を良好、かつ正確に受信することができるなどの効果がある。
この発明に係る信号復調装置における受信制御方法は、算出された位相差から位相誤差が算出され、これら算出した位相誤差のバラツキ状態を段階的に検出し、この検出された位相誤差の段階的なバラツキ状態から、復調された信号の良否について段階的な判定を行い、判定結果を出力し、上記位相誤差の平均値から制御量を算出する際、上記で判定された信号の段階的な良否によって、制御量を段階的に変化させ、この制御量により局部発振器の発振周波数を変化させるようにしたものである。
このことによって、検出された位相差のバラツキ状態より信号の良否を段階的に判断し、復調するときに利用する局部発振信号の周波数および位相を段階的に制御することにより、より効率的な受信装置の制御をおこなうことができるなどの効果がある。
この発明に係る信号復調装置における受信制御方法は、段階的に検出したバラツキ状態の検出結果をオーディオ制御部に出力し、このオーディオ制御部は、段階的なバラツキ状態の検出結果から、ミュート量を決定し、オーディオ制御を行うようにしたものである。
このことによって、検出された位相差のバラツキ状態より信号の良否を段階的に判断し、その結果に基づいて音声のミュート量を制御することにより、信号の劣化に伴い発生する異音を抑えることができるなどの効果がある。
この発明に係る信号復調装置における受信制御方法は、段階的に検出したバラツキ状態の検出結果をオーディオ制御部に出力し、このオーディオ制御部は、段階的なバラツキ状態の検出結果から、ハイカット量を決定し、オーディオ制御を行うようにしたものである。
このことによって、信号の劣化に伴い発生する異音を、音声を途切れさせることなく、抑えることができるなどの効果がある。
【図面の簡単な説明】
第１図はこの発明の実施の形態１による信号復調装置を示す構成図である。
第２図はこの発明の実施の形態１による信号復調装置においてＤＡＢ受信の制御例を示すフローチャートである。
第３図はこの発明の実施の形態１による信号復調装置においてズレ量が小さい場合の検出誤差のバラツキを示す表図である。
第４図はこの発明の実施の形態１による信号復調装置においてズレ量が第３図より大きい場合の検出誤差のバラツキを示す表図である。
第５図はこの発明の実施の形態１による信号復調装置においてズレ量が第４図より更に大きい場合の検出誤差のバラツキを示す表図である。
第６図はこの発明の実施の形態１による信号復調装置においてズレ量と検出位相差誤差との関係を示す表図である。
第７図はこの発明の実施の形態２による信号復調装置を示す構成図である。
第８図はこの発明の実施の形態２による信号復調装置においてＤＡＢ受信の制御例を示すフローチャートである。
第９図はこの発明の実施の形態３による信号復調装置を示す構成図である。
第１０図はこの発明の実施の形態３による信号復調装置においてＤＡＢ受信の制御例を示すフローチャートである。
第１１図はこの発明の実施の形態４による信号復調装置を示す構成図である。
第１２図はこの発明の実施の形態４による信号復調装置においてＤＡＢ受信の制御例を示すフローチャートである。
第１３図はこの発明の実施の形態５による信号復調装置においてＤＡＢ受信の制御例を示すフローチャートである。
第１４図は従来の信号復調装置を示す構成図である。
第１５図はＱＰＳＫ変調で伝送される４値を示す表図である。
第１６図はＱＰＳＫ変調で搬送波がπ／２進んだ状態を示す表図である。
第１７図は従来の信号復調装置においてＤＡＢ受信の制御例を示すフローチャートである。
発明を実施するための最良の形態
以下、この発明をより詳細に説明するために、この発明を実施するための最良の形態について、添付の図面に従って説明する。
実施の形態１．
第１図はこの発明の実施の形態１による信号復調装置を示す構成図であり、図において、２は受信アンテナ１で捕捉された電波を中間周波数帯域の信号に変換するチューナー、４はＡ／Ｄ変換器３でディジタル値に変換され出力されたディジタルデータをＩ信号成分（実数部）と、Ｑ信号成分（虚数部）とに分別生成するＩＱ生成部、５はこのＩ信号成分とＱ信号成分を離散フーリエ変換し、時間領域の信号を周波数領域の信号に変換する離散フーリエ変換部、６は周波数変換されたＩ成分データ、及び、Ｑ成分データより、全ての搬送波についてＯＦＤＭ信号を構成する搬送波の位相を検出し、バラツキ検出部１１及び発振器制御部８に検出した位相を出力する位相検出部、７は離散フーリエ変換部５から出力されたＩ成分データ、及び、Ｑ成分データより送信側との時間同期ズレを検出、補正して、同期ズレのないクロック再生を行うクロック再生部であり、Ａ／Ｄ変換部３、ＩＱ生成部４、離散フーリエ変換部５、位相検出部６の制御を行う。
８は位相検出部６より出力された搬送波の位相に基づいて、局部発振器９を制御し、発信周波数を変化させる発振器制御部であり、前記位相の平均値から制御量を算出するが、この際、良否判定部１２で判定された信号の良否によって制御量を変化させる。例えば、良否判定部１２において、信号が良好であると判定された場合、位相誤差の平均値から算出した制御量を適用し、信号が良好でないと判定された場合、位相誤差の平均値から算出した制御量とは関係なく一定の制御量（例えばπ／２相当の制御量）を適用する。発振器制御部８より出力された制御量により局部発振器９の発信周波数を変化させる。
１０は局部発振器９の発信周波数と、チューナー２内の局部発振器の発信周波数が等しくなるように、チューナー２を制御する位相比較器である。１１は算出された位相から位相誤差が算出され、これら算出した位相誤差のバラツキ状態を検出するバラツキ検出部、１２はバラツキ検出部１１で検出された位相誤差のバラツキ状態から復調された信号の良否について判定を行い、判定結果を発振器制御部８へ出力する良否判定部である。
次に動作について説明する。
第２図はこの発明の実施の形態１による信号復調装置においてＤＡＢ受信の制御例を示すフローチャートである。
受信機の同調制御が開始されると、位相検出部６は離散フーリエ変換部５から入力した位相検出データを用いて位相を算出し（ステップＳＴ１１）、バラツキ検出部１１は位相検出部６からの位相を位相誤差に変換し（ステップＳＴ１２）、良否判定部１２がそのバラツキ状態を判定する（ステップＳＴ１３）。
そして、バラツキがあるか否かを判断し（ステップＳＴ１４）、バラツキありと判断した場合、一定の補正制御量（例えばπ／２）を発振器制御部８へ指示し（ステップＳＴ１５）、バラツキなしと判断した場合、補正制御の指示を行わない（ステップＳＴ１６）。最後に、発振器制御部８では、バラツキ検出部１１の補正制御の指示の有無によって、制御量を変えることによって同調の制御を終了する（ステップＳＴ１７）。以上の一連のステップを一定時間毎に実行することにより、常に、良好に誤り無く受信することができる。
第３図はこの発明の実施の形態１による信号復調装置においてズレ量が小さい場合の検出誤差のバラツキを示す表図、第４図はこの発明の実施の形態１による信号復調装置においてズレ量が第３図より大きい場合の検出誤差のバラツキを示す表図、第５図はこの発明の実施の形態１による信号復調装置においてズレ量が第４図より更に大きい場合の検出誤差のバラツキを示す表図、第６図はこの発明の実施の形態１による信号復調装置においてズレ量と検出位相誤差との関係を示す表図である。
ＤＡＢ規格に準拠して送信されるＯＦＤＭ変調信号を復調する場合における、送信側と受信側の周波数のズレ量が小さい場合の、検出した位相誤差をサンプル毎に記入すると第３図に示す通りとなる。また、ズレ量がより大きい場合は第４図、更に大きい場合は第５図に示す通りとなる。以上より、位相誤差とそのバラツキの関係は第６図のようになる。この関係を用いることにより、位相誤差のバラツキ状態より信号の良否を判定することができる。例えば、第６図においてバラツキがｂより大きい場合、ズレ量の絶対値が大きいと判断できるので、この状態を信号が良好でないと判定し、バラツキがａ〜ｂの範囲では信号が良好であると判定する。
以上のように、この実施の形態１によれば、良否判定部１２において、バラツキ検出部１１から入力されるバラツキ状態を前記位相誤差とバラツキの関係と照らし合わせ、信号の良否を判定することにより、ＯＦＤＭ等、複数の搬送波により構成された、位相変調信号を受信する際、擬似ロック状態に陥ることなく、放送信号に必要な搬送波を良好、かつ正確に受信することができるなどの効果が得られる。
実施の形態２．
第７図はこの発明の実施の形態２による信号復調装置を示す構成図である。例えばＤＡＢの規格に準拠して送信されるＯＦＤＭ変調信号を受信する受信装置の構成例を示している。図において、実施の形態１と同一の符号については同一または相当部分を示すので説明を省略する。１３は離散フーリエ変換部５において周波数変換されたＩ成分データ、及び、Ｑ成分データより、全ての搬送波について変調信号を構成する搬送波の位相とその搬送波の１シンボル前の位相との位相差を算出し、バラツキ検出部１１及び発振器制御部８に出力する差動符号化部である。８は搬送波の位相差に基づいて、局部発振器９を制御し、発信周波数を変化させる発振器制御部であり、前記位相誤差の平均値から制御量を算出する。また、１１は算出された位相差から位相御差が算出され、これら算出した位相誤差のバラツキ状態を検出するバラツキ検出部である。他は実施の形態１と同様の動作を行う。
次に動作について説明する。
第８図はこの発明の実施の形態２による信号復調装置においてＤＡＢ受信の制御例を示すフローチャートである。
受信機の同調制御が開始されると、差動符号化部１３は離散フーリエ変換部５から入力した位相検出データを用いて位相差を算出し（ステップＳＴ２１）、バラツキ検出部１１は差動符号化部１３からの位相差を位相誤差に変換し（ステップＳＴ２２）、良否判定部１２がそのバラツキ状態を判定する（ステップＳＴ２３）。そして、バラツキがあるか否かを判断し（ステップＳＴ２４）、バラツキありと判断した場合、一定の補正制御量（例えばπ／２）を発振器制御部８へ指示し（ステップＳＴ２５）、バラツキなしと判断した場合、補正制御の指示を行わない（ステップＳＴ２６）。最後に、発振器制御部８では、バラツキ検出部１１の補正制御の指示の有無によって、制御量を変えることによって同調の制御を終了する（ステップＳＴ２７）。以上の一連のステップを一定時間内に実行することにより、常に、良好に誤り無く受信することができる。
以上の様に、この実施の形態２によれば、良否判定部１２において、バラツキ検出部１１から入力されるバラツキ状態を前記位相誤差とバラツキの関係と照らし合わせ、信号の良否を判定することにより、ＯＦＤＭ等、複数の搬送波により構成され、差動位相変調された放送信号を受信する際、擬似ロック状態に陥ることなく、放送信号に必要な搬送波を良好、かつ正確に受信することができるなどの効果が得られる。
実施の形態３．
第９図はこの発明の実施の形態３による信号復調装置を示す構成図であり、例えばＤＡＢの規格に準拠して送信されるＯＦＤＭ変調信号を受信する受信装置の構成例を示している。図において、実施の形態１および実施の形態２と同一の符号については同一または相当部分を示すので説明を省略する。１４は差動符号化部１３において算出された位相差から位相誤差が算出され、これら算出した位相誤差のバラツキ状態を段階的に検出する段階的バラツキ検出部、１８は段階的バラツキ検出部１４で検出された位相誤差の段階的なバラツキ状態から、復調された信号の良否について段階的な判定を行い、判定結果を段階的発振器制御部１９へ出力する段階的良否判定部である。
１９は前記位相誤差の平均値から制御量を算出するが、この際、段階的良否判定部１８で判定された信号の段階的な良否によって、制御量を段階的に変化させる段階的発振器制御部であり、段階的発振器制御部１９より出力された制御量により局部発振器９の発振周波数を変化させる。位相比較器１０では、局部発振器９の発振周波数と、チューナ２内の局部発振器の発振周波数が一致するようにチューナ２を制御する。
次に動作について説明する。
第１０図はこの発明の実施の形態３による信号復調装置においてＤＡＢ受信の制御例を示すフローチャートである。
受信機の同調制御が開始されると、差動符号化部１３は離散フーリエ変換部５から入力した位相検出データを用いて位相差を算出し（ステップＳＴ３１）、段階的バラツキ検出部１４は差動符号化部１３からの位相差を位相誤差に変換し（ステップＳＴ３２）、段階的良否判定部１８がそのバラツキ状態を段階的に判定する（ステップＳＴ３３）。そして、バラツキが大であるか否かを判断し（ステップＳＴ３４）、バラツキが大であると判断した場合、一定の補正制御量（例えばπ／２）を段階的発振器制御部１９へ指示する（ステップＳＴ３５）。
一方、ステップＳＴ３４の判断でバラツキが大でなく、バラツキ中と判断した場合（ステップＳＴ３６）、ステップＳＴ３５においての前記一定の補正制御量とは異なった、一定の補正制御量、例えば、π／４に相当する制御量を段階的発振器制御部１９へ指示する（ステップＳＴ３７）。そして、ステップＳＴ３６でバラツキなしと判断した場合、段階的発振器制御部１９に対して補正制御の指示を行わない（ステップＳＴ３８）。最後に、段階的発振器制御部１９では、段階的バラツキ検出部１４の補正制御の指示の有無によって、制御量を変えることによって同調の制御を終了する（ステップＳＴ３９）。以上の一連のステップを一定時間毎に実行することにより、常に、良好に誤り無く受信することができる。
位相誤差とそのバラツキの関係は、実施の形態１で示したように第６図のようになるが、このとき、段階的バラツキ検出部１４では、例えば、第４図のように、位相誤差の値が破線より大きく、かつ、正負均等に分布しているようなバラツキ状態か、あるいは第５図のように、位相誤差の値が破線より小さい場合があって、かつ、正負均等に分布しているようなバラツキ状態か、さらには、第３図のように全くバラツキの無い状態か、というように、バラツキ状態を段階的に検出する。すなわち、第６図において、バラツキがａ〜ｃのいずれの状態にあるかを判断することで段階的に判定する。
段階的良否判定部１８では、前記段階的に検出されたバラツキ状態の検出結果に基づいて、信号の良否を、例えば、第６図において、ａのバラツキである場合は位相誤差無く良好、あるいはｃのバラツキである場合は位相誤差が大きく不良、あるいはｂのバラツキである場合はその中間値、というように段階的に判定する。
段階的発振器制御部１９では、前記段階的に判定された信号の良否の判定結果に基づいて、例えば、位相誤差の平均値に基づいて算出した制御量、あるいは一定の制御量（例えば、π／２に相当する制御量）、あるいは前記一定の制御量の半分の値の制御量（例えば、π／４に相当する制御量）、というように段階的に制御量を変化させる。
以上のように、この実施の形態３によれば、検出された位相差のバラツキ状態より信号の良否を段階的に判断し、復調するときに利用する局部発振信号の周波数および位相を段階的に制御することにより、実施の形態２の効果の他に、より効率的な受信装置の制御をおこなうことができるなどの効果が得られる。
実施の形態４．
第１１図はこの発明の実施の形態４による信号復調装置を示す構成図であり、例えばＤＡＢの規格に準拠して送信されるＯＦＤＭ変調信号を受信する受信装置の構成例を示している。図において、実施の形態１、実施の形態２および実施の形態３と同一の符号については同一または相当部分を示すので説明を省略する。段階的バラツキ検出部１７において段階的に検出されたバラツキ状態の検出結果はオーディオ制御部１５に入力され、このオーディオ制御部１５において、段階的なバラツキ状態の検出結果から、ミュート量が決定される。例えば、第５図におけるバラツキの状態の場合のみミュートを行うというようなオーディオ制御を行う。
次に動作について説明する。
第１２図はこの発明の実施の形態４による信号復調装置においてＤＡＢ受信の制御例を示すフローチャートである。
受信機の同調制御が開始されると、差動符号化部１３は離散フーリエ変換部５から入力した位相検出データを用いて位相差を算出し（ステップＳＴ４１）、段階的バラツキ検出部１７は差動符号化部１３からの位相差を位相誤差に変換し（ステップＳＴ４２）、段階的良否判定部１８がそのバラツキ状態を段階的に判定する（ステップＳＴ４３）。そして、バラツキが大であるか否かを判断し（ステップＳＴ４４）、バラツキが大であると判断した場合、オーディオ制御部１５に対して完全に音量を絞るミュート制御を行う（ステップＳＴ４５）。
一方、ステップＳＴ４４の判断でバラツキが大でなく、バラツキ中と判断した場合（ステップＳＴ４６）、オーディオ制御部１５に対して完全に音量を絞るのではなく、一定量の音量を絞るミュート量の制御を行う（ステップＳＴ４７）。そして、ステップＳＴ４６でバラツキなしと判断した場合、オーディオ制御部１５に対して音量の制御を行わない（ステップＳＴ４８）。以上で音量の制御を完了する。以上の一連のステップを一定時間毎に実行することにより、復調信号の劣化に伴い発生する異音を抑えることができる。
以上のように、この実施の形態４によれば、検出された位相差のバラツキ状態より信号の良否を段階的に判断し、その結果に基づいて音声のミュート量を制御することにより、実施の形態２および実施の形態３の効果の他に、信号の劣化に伴い発生する異音を抑えることができるなどの効果が得られる。
実施の形態５．
この発明の実施の形態５の構成については、実施の形態４と同一であるため説明を省略する。実施の形態１から実施の形態４と同一の符号については同一または相当部分を示すので説明を省略する。段階的バラツキ検出部１７において段階的に検出されたバラツキ状態の検出結果は、オーディオ制御部１５に入力される。オーディオ制御部１５では、バラツキ状態の段階的な検出結果から、ハイカット量を決定し、オーディオ制御を行う。
次に動作について説明する。
第１３図はこの発明の実施の形態５による信号復調装置においてＤＡＢ受信の制御例を示すフローチャートである。
受信機の同調制御が開始されると、差動符号化部１３は離散フーリエ変換部５から入力した位相検出データを用いて位相差を算出し（ステップＳＴ５１）、段階的バラツキ検出部１７は差動符号化部１３からの位相差を位相誤差に変換し（ステップＳＴ５２）、段階的良否判定部１８がそのバラツキ状態を段階的に判定する（ステップＳＴ５３）。そして、バラツキが大であるか否かを判断し（ステップＳＴ５４）、バラツキが大であると判断した場合、オーディオ制御部１５に対して高域の完全な減衰制御（ハイカット制御）を行う（ステップＳＴ５５）。
一方、ステップＳＴ５４の判断でバラツキが大でなく、バラツキ中と判断した場合（ステップＳＴ５６）、オーディオ制御部１５に対して一定量の高域の減衰制御を行う（ステップＳＴ５７）そして、ステップＳＴ５６でバラツキなしと判断した場合、オーディオ制御部１５に対して高域の減衰制御を行わない（ステップＳＴ５８）。以上で高域減衰制御が完了する。以上の一連のステップを一定時間毎に実行することにより、復調信号の劣化に伴い発生する異音を、音声を途切れさせることなく、抑えることができる。
以上のように、この実施の形態５によれば、検出された位相差のバラツキ状態より信号の良否を段階的に判断し、その結果に基づいて音声のハイカット量を制御することにより、実施の形態１、実施の形態２、および実施の形態３の効果の他に、信号の劣化に伴い発生する異音を、音声を途切れさせることなく、抑えることができるなどの効果が得られる。
産業上の利用可能性
以上のように、この信号復調装置、およびこの信号復調装置における受信制御方法は、複数のサブキャリアより構成された変調信号において、擬似ロック状態に陥ることなく、ＯＦＤＭ変調信号に必要な搬送波を良好、かつ正確に受信することができる信号復調装置およびこの信号復調装置における受信制御方法などに用いるのに適している。
【図１】
0003850452.tif 000002
【図２】
0003850452.tif 000003
【図３】
0003850452.tif 000004
【図４】
0003850452.tif 000005
【図５】
0003850452.tif 000006
【図６】
0003850452.tif 000007
【図７】
0003850452.tif 000008
【図８】
0003850452.tif 000009
【図９】
0003850452.tif 000010
【図１０】
0003850452.tif 000011
【図１１】
0003850452.tif 000012
【図１２】
0003850452.tif 000013
【図１３】
0003850452.tif 000014
【図１４】
0003850452.tif 000015
【図１５】
0003850452.tif 000016
【図１６】
0003850452.tif 000017
【図１７】
0003850452.tif 000018